(57)【要約】【課題】プラグコネクタによるソケットコネクタへの着脱操作によって棄損しないようにすること。【解決手段】ソケットコネクタと取り外し可能に係合するソケットコネクタは、シェルと２つの位置決め穴とを有する。プラグコネクタは絶縁ハウジング、複数の端子、シェル、１対の位置決めフックを有している。絶縁ハウジングは１対の取り付けブロックを有している。端子は絶縁ハウジング内に取り付けられている。位置決めフックはそれぞれの取り付けブロックを通って取り付けられ、各位置決めフックは基礎部分、フックアーム、固定アームを備えている。フックアームは１つの取り付けブロックを通って取り付けられ、フックアーム上に形成されたフック部分を有しており、ソケットコネクタのシェルの１つの位置決め穴に引っ掛かる。【選択図】図１
0003141195.tif 000002
【実用新案登録請求の範囲】
【請求項１】
プラグコネクタに使用する位置決めフックであって、
前記位置決めフックは、
基礎部分と、
前記基礎部分上に形成され、そこから突出したフックアームとを備え、
前記フックアームは、
前記基礎部分上に形成された尾部と、
前記尾部上に形成され、そこから縦方向に突出した中間部分と、
前記中間部分上に形成され、そこから縦方向に突出した頭部とを有し、前記頭部の幅は前記尾部および前記中間部分の幅よりも小さく、前記頭部には矢型のフック部分が形成され、このフック部分は前記頭部から横方向に突出しており、
前記位置決めフックは、前記基礎部分上に形成され、ここから突出した固定アームをさらに備え、
前記固定アームは、
内面と、
前記内面に形成された複数の歯とを有する、
位置決めフック。
【請求項２】
前記フックアームの前記尾部の幅は最大で０．６ｍｍであり、
前記フックアームの前記頭部の幅は最大で０．４ｍｍである、請求項１に記載の位置決めフック。
【請求項３】
前記位置決めフックはステンレス鋼からなる、請求項２に記載の位置決めフック。
【請求項４】
前記フックアームは、前記基礎部分から徐々に厚さを減少しながら先細りしている、請求項３に記載の位置決めフック。
【請求項５】
１対の位置決め穴を有するシェルを有したソケットコネクタと取り外し可能に係合するように適合されたプラグコネクタであって、
前記プラグコネクタは、絶縁ハウジングを備えており、
前記絶縁ハウジングは、
前端部と、
後端部と、
対向した２つの面と、
頂部と、
底部と、
前記絶縁ハウジング内に縦方向に画定された複数の通路と、
前記側部上に形成され、ここからそれぞれ突出している１対の取り付けブロックとを有し、
前記各取り付けブロックは、
前端部と、
後端部と、
前記取り付けブロックを通って縦方向に画定されたチャネルと、
前記取り付けブロックの前記後端部内に縦方向に画定され、内面を有する取り付け穴とを有し、
前記プラグコネクタはさらに、金属からなり、それぞれ前記通路を通って取り付けられた複数の端子と、
前記絶縁ハウジング周囲に取り付けられ、前記絶縁ハウジングの前記前端部から前記取り付けブロックへと延び、前記端子を覆っているシェルとを備え、
前記シェルは、
前記シェルを通って縦方向に画定され、前記絶縁ハウジング周囲に取り付けられた通し穴と、
頂部と、
底部と、
開放前端部と、
開放後端部と、
前記シェルの前記頂部を通って縦方向に横列して画定された１対の隙間とを有し、
前記プラグコネクタはさらに、前記取り付けブロックにそれぞれ関連し、これにそれぞれ取り付けられた１対の位置決めフックとを有しており、
前記各位置決めフックは、
前記絶縁ハウジングの関連する取り付けブロックの前記後端部に当接する基礎部分と、
フックアームとを有し、
前記フックアームは、前記基礎部分上に形成され、ここから突出し、前記絶縁基部の前記関連する取り付けブロックの前記チャネルを通って取り付けられており、前記ソケットコネクタの前記シェルの位置決め穴の１つの内部に引っ掛かるように適合されており、
前記フックアームは、
前記基礎部分上に形成された尾部と、
前記尾部上に形成され、縦方向に突出した中間部分と、
前記中間部分上にあり、ここから縦方向に突出した頭部とを有しており、前記頭部の幅は前記尾部および前記中間部分の幅よりも狭く、矢型のフック部分を有する前記頭部は前記頭部上に形成され、ここから横方向に突出しており、また、前記ソケットコネクタの前記シェルの前記位置決め穴の１つに引っ掛かるように適合されており、
前記位置決めフックはさらに、前記基礎部分上に形成され、ここから突出し、前記絶縁ハウジングの前記関連する取り付けブロックの前記取り付け穴内にしっかりと取り付けられた固定アームを有し、
前記固定アームは、
前記フックアームに対向した内面と、
前記内面上に形成され、前記絶縁ハウジングの前記関連する取り付けブロックの前記取り付け穴の前記内面をしっかりと押圧し、これを噛む複数の歯とを有する、
プラグコネクタ。
【請求項６】
前記各位置決めフックの前記フックアームの前記尾部の幅は最大で０．６ｍｍであり、
前記各位置決めフックの前記フックアームの前記頭部の幅は最大で０．４ｍｍである、請求項５に記載のプラグコネクタ。
【請求項７】
前記各位置決めフックはステンレス鋼からなる、請求項６に記載のプラグコネクタ。
【請求項８】
前記各位置決めフックの前記フックアームは、前記基礎部分から徐々に厚みを減少させながら前方に向かって先細りしている、請求項７に記載のプラグコネクタ。
【請求項９】
前記絶縁ハウジングはさらに、前記取り付けブロックどうしの間における前記絶縁ハウジングの前記後端部付近の前記頂部に形成され、ここから突出した取り付け突起部を有し、
前記シェルはさらに取り付けタブを有し、前記取り付けタブは、前記シェルの前記頂部の前記開放後端部に形成され、後方へ突出しており、また、前記絶縁ハウジング上の前記取り付け突出部周囲に前記取り付けタブを通って画定された取り付け開き口を有する、請求項８に記載のプラグコネクタ。
【請求項１０】
前記プラグコネクタはマイクロＵＳＢプラグコネクタである、請求項９に記載のプラグコネクタ。
【考案の詳細な説明】
【技術分野】
【０００１】
本考案はコネクタに関し、より具体的には、ソケットコネクタに取り外し可能に引っ掛けられる１対の位置決めフックを具備したプラグコネクタに関する。
この位置決めフックは、ソケットコネクタから位置決めフックを引っ張ってプラグコネクタをソケットコネクタから取り外すことを多数回繰り返すうちに劣開または破壊してしまうことを防止するのに十分な張力を備えている。
【背景技術】
【０００２】
新たに開発されたミニユニバーサルシリアルバス（ミニＵＳＢ）インターフェースは、携帯電話、カードリーダ、デジタルカメラ、オーディオプレーヤ、フラッシュドライブ装置などの多くの携帯型電子装置に広く使用されている。
ミニＵＳＢインターフェースと一体化したこの種の携帯型電子装置により、コンピュータを介さなくても、ＵＳＢオンザゴー（ＯＴＧ）プロトコルの下でデータ送信を直接行えるようになった。
【０００３】
米国特許第６，９７６，８７０号は、シェルを装備した従来型のＵＳＢコネクタを開示している。このシェルは、スタンプ処理によってシェル上に形成され、合致するコネクタを保持する複数の固定部材を有する。
【０００４】
米国特許第７，１２８，６０８号は、シェルを装備した従来型のＵＳＢソケットコネクタを開示している。シェルは、シェル上に形成され、複数のプラグコネクタを保持する複数の弾性位置決め部材を有している。
【考案の開示】
【考案が解決しようとする課題】
【０００５】
しかし、前述の固定部材と弾性位置決め部材では、ミニＵＳＢコネクタよりも小さいマイクロＵＳＢコネクタのような小型コネクタにおいて固定部材と弾性位置決め部材の寸法をより小型化した場合に、十分な位置決め力を確保することができず、コネクタが他のコネクタから過って断絶してしまうことを防止することができない。
【０００６】
こうした欠点を解消するために、本考案は、前述の問題を軽減または除去するための位置決めフックを有するプラグコネクタを提供するものである。
【課題を解決するための手段】
【０００７】
本考案の主な目的は、ソケットコネクタに取り外し可能に引っ掛かる１対の位置決めフックを有するプラグコネクタを提供することである。この位置決めフックは、位置決めフックをソケットコネクタから引き抜くことで、プラグコネクタをソケットコネクタから多数回取り外した後の裂開および破壊を防止するのに十分な張力を持つものである。
【０００８】
本考案によるプラグコネクタは、シェルと、シェルを通って画定された２つの位置決め穴とを装備したソケットコネクタに取り外し可能に係合する。
プラグコネクタは絶縁ハウジング、複数の端子、シェル、１対の位置決めフックを備えている。絶縁ハウジングは１対の取り付けブロックを有している。
端子は絶縁ハウジングに取り付けられている。
位置決めフックはそれぞれの取り付けブロックを通って取り付けられており、各取り付けフックは基礎部分、フックアーム、固定アームを有している。
フックアームは、１つの取り付けブロックを通って取り付けられており、また、フックアーム上に形成され、ソケットコネクタのシェルの１つの位置決め穴に引っ掛かるフック部分を有している。
この位置決めフックにより、プラグコネクタはソケットコネクタにしっかりと係合して、過って落下することがなくなる。
【０００９】
本考案の別の目的、利点、新規の特徴は、添付の図面を伴って以下の詳細な説明を読解することでより明白となる。
【考案を実施するための最良の形態】
【００１０】
図１、図２、および図４Ａ、図４Ｂを参照すると、本考案によるプラグコネクタ（１）は、ミニＵＳＢコネクタよりも小型で、これに代わるマイクロユニバーサル・シリアルバス（マイクロＵＳＢ）プラグコネクタを示している。
プラグコネクタ（１）は、ソケットコネクタ（６）と取り外し可能に係合する。
ソケットコネクタ（６）はマイクロＵＳＢソケットコネクタであり、シェル（７）を有している。
シェル（７）は中空であり、頂部と、頂部を通って画定された１対の位置決め穴（７１）とを有している。
【００１１】
プラグコネクタ（１）は、絶縁ハウジング（２）、複数の端子（３）、シェル（４）、１対の位置決めフック（５）を備えている。
【００１２】
絶縁ハウジング（２）は前端部（２１）、後端部（２２）、対向した２つの面（２３）、頂部（２５）、底部（２６）、凹部（２０）、複数の溝（２０１）、複数の通路（２０２）、１対の取り付けブロック（２３１）を有しており、さらに取り付け用突起（２５１）を有していてもよい。
【００１３】
凹部（２０）は前端部（２１）と頂部（２５）に画定されており、内部底面を有する。
【００１４】
溝（２０１）は、横凹部（２０）の内部底面に縦方向に、横列して画定されている。
【００１５】
通路（２０２）は、後端部（２２）を通って絶縁ハウジング（２）内に縦方向に画定されており、それぞれの溝（２０１）に関連し、連通している。
【００１６】
さらに図３Ａ、図３Ｂを参照すると、取り付けブロック（２３１）が、絶縁ハウジング（２）の後端部（２２）付近の側部（２３）上に形成され、ここから横方向にそれぞれ突出している。各取り付けブロック（２３１）は前端部、後端部、チャネル（２３０）、取り付け穴（２３２）を有している。
チャネル（２３０）は、取り付けブロック（２３１）を通って縦方向に画定されている。取り付け穴（２３２）は実質的にめくら穴であり、取り付けブロック（２３１）の後端部内に縦方向に画定されており、内面を有する。
【００１７】
取り付け用突起（２５１）は、取り付けブロック（２３１）どうしの間における絶縁ハウジング（２）の後端部（２２）付近の頂部（２５）上に形成されており、ここから突出している。
【００１８】
端子（３）は金属からなり、それぞれ通路（２０２）を通って取り付けられ、絶縁ハウジング（２）内の溝（２０１）内にそれぞれ取り付けられている。
また、各端子（３）は接触部（３１）、本体部分（３３）、半田部分（３５）を有している。
【００１９】
接触部（３１）は、絶縁ハウジング（２）の溝（２０１）のうちの１つの内部に取り付けられ、ここから部分的に延びている。接触部分（３１）はソケットコネクタ（６）の端子に接触することができる。
【００２０】
本体部分（３３）は、接触部（３１）上に形成され、ここから縦方向後ろ向きに突出している。また、溝（２０１）の１つの内部に、絶縁ハウジング（２）の通路（２０２）の１つを通って取り付けられている。
【００２１】
半田部分（３５）は本体部分（３３）上に形成され、ここから縦方向後ろ向きに突出しており、絶縁ハウジング（２）の後端部（２２）から延びている。
半田部分（３５）は、プリント回路基板（ＰＣＢ）の回路接触部上に半田付けされており、ＰＣＢ上のプラグコネクタ（１）と接続する。
【００２２】
シェル（４）は中空であり、金属からなり、絶縁ハウジング（２０）の周囲に取り付けられており、絶縁ハウジング（２０）の前端部（２１）から取り付けブロック（２３１）へと延び、端子（３）を覆っており、さらに、通し穴、頂部（４５）、底部（４６）、開放前端部、開放後端部、１対の隙間（４５０）を有している。さらに取り付けタブ（４５１）を有していてもよい。
【００２３】
通し穴は、シェル（４）を通って縦方向に画定されており、絶縁ハウジング（２０）の周囲に取り付けられている。
【００２４】
隙間（４５０）は、シェル（４）頂部（４５）に縦方向に、横列して画成されている。
【００２５】
取り付けタブ（４５１）はシェル（４）の頂部（４５）の開放後端部上に形成され、ここから後ろ向きに突出しており、取り付け開き口（４５１０）を有している。
取り付け開き口（４５１０）は取り付けタブ（４５１）を通って画定されており、絶縁ハウジング（２）上の取り付け突起部（２５１）の周囲に取り付けられ、シェル（２）が過って絶縁ハウジング（２）から分離してしまうことを防止している。
【００２６】
位置決めフック（５）は金属からなり、ステンレス鋼からなっていてもよく、それぞれの位置決めフック（５）は各取り付けブロック（２３１）に関連し、これを通って取り付けられている。
プラグコネクタ（１）、即ちマイクロＵＳＢプラグコネクタはソケットコネクタ（６）と少なくとも１０，０００回の接続および断絶を繰り返すため、位置決めフック（５）は、少なくとも１０，０００回の引っ張りに耐えられる耐性を備えるように設計されている。
各位置決めフック（５）の寸法は、長さ９ｍｍ、高さ３ｍｍ、幅０．６ｍｍであることが好ましい。
また、この寸法の位置決めフック（５）は、プラグコネクタ（１）を過って壊すことなくソケットコネクタ（６）から分離できるようにするために、少なくとも４ニュートン（Ｎ）の引っ張り力に耐えられるものである必要がある。
この寸法を有し、ステンレス鋼からなる位置決めフック（５）は、少なくとも５Ｎの優れた張力を備えている。
各位置決めフック（５）は基礎部分（５１）、フックアーム（５３）、固定アーム（５５）を有している。
【００２７】
基礎部分（５１）は関連する取り付けブロック（２３１）の後端部と当接する。
【００２８】
フックアーム（５３）は矢型で柔軟であり、基礎部分（５１）上に形成され、ここから垂直に突出しており、絶縁ハウジング（２）の関連する取り付けブロック（２３１）のチャネル（２３０）を通って取り付けられ、基礎（５１）部分から徐々に厚さを減少しながら先細りし、さらに、ソケットコネクタ（６）のシェル（７）の位置決め穴（７１）の１つに引っ掛かる。
フックアーム（５３）は、尾部（５３１）、中間部分（５３３）、頭部（５３５）を有している。
尾部（５３１）は基礎部分（５１）上に形成されており、その幅は最大で０．６ｍｍであってよい。
中間部分（５３３）は尾部（５３１）上に形成され、そこから縦方向に突出しており、その幅は最大で０．６ｍｍであってよい。
頭部（５３５）は中間部分（５３３）上に形成され、そこから縦方向に突出しており、幅とフック部分（５３５ａ）を有している。
頭部（５３５）の幅は尾部（５３１）および中間部分（５３３）の幅よりも狭く、最大で０．４ｍｍであってよい。フック部分（５３５ａ）は矢型であり、頭部（５３５）上に形成され、そこから横方向に突出している。
さらに、プラグコネクタ（１）をソケットコネクタ（６）内にしっかりと保持するために、ソケットコネクタ（６）のシェル（７）の位置決め穴（７１）の１つに引っ掛かることができる。
【００２９】
固定アーム（５５）は基礎部分（５１）上に形成され、そこから、フックアーム（５３）から或る間隔をおいて垂直方向に突出しており、関連する取り付けブロック（２３１）内の取り付け穴（２３２）内部にしっかりと取り付けられ、１つの内面（５５１）と複数の歯（５５１ａ）とを有している。
内面（５５１）はフックアーム（５３）と対面している。歯（５５１ａ）は内面（５５１）に形成されており、関連する取り付けブロック（２３１）の取り付け穴（２３２）の内面をきつく押圧してこれを噛むことで、位置決めフック（５）が関連する取り付けブロック（２３１）から落下することを防止する。
【００３０】
次の表は、５対の位置決めフック（５）の引っ張り試験を示す。各対の位置決めフック（５）を繰返し１０回引っ張り、１対の位置決めフック（５）に付加される各回の引っ張り力を表に記録した。
【００３１】
【表１】
0003141195.tif 000003
【００３２】
表に示すように、位置決めフック（５）の対に付加される最大引張り力は１３．３０Ｎである。
最小引張り力は１０．０９Ｎである。平均引張り力は１１．３９Ｎである。
換言すれば、各位置決めフック（５）の張力は控えめに推定して少なくとも５．０４５Ｎとなり、マイクロＵＳＢコネクタ基準に要求される４Ｎの閾値限度を大きく超える。
【００３３】
位置決めフック（５）を用いることで、プラグコネクタ（１）はソケットコネクタ（６）にしっかりと係合し、過って落下することがなくなる。
さらに、各位置決めフック（５）は、裂開や破壊を生じることなく１０，０００回以上の引っ張りに十分耐え得る５Ｎを越える十分な張力を持つ。
したがって、プラグコネクタ（１）は信頼性および耐性に優れている。
【図面の簡単な説明】
【００３４】
【図１】本考案によるプラグコネクタの斜視図である。
【図２】本考案による図１に示したプラグコネクタの位置決めフックの斜視図である。
【図３Ａ】図１に示したプラグコネクタの断面斜視図である。
【図３Ｂ】図３Ａのプラグコネクタの側部断面図である。
【図４Ａ】図１に示したプラグコネクタの機能斜視図であり、ソケットコネクタと係合している。
【図４Ｂ】図４Ａに示したプラグコネクタの機能側部断面図であり、ソケットコネクタと係合している。
【図１】
0003141195.tif 000004
【図２】
0003141195.tif 000005
【図３Ａ】
0003141195.tif 000006
【図３Ｂ】
0003141195.tif 000007
【図４Ａ】
0003141195.tif 000008
【図４Ｂ】
0003141195.tif 000009